(57)【特許請求の範囲】
【請求項１】
電極端子を有するマイクロスイッチと、
上記電極端子に電気的に接続された外部配線用端子と、
上記マイクロスイッチの開閉ボタンを一面に突出させ他面に上記外部配線用端子を露呈させて上記マイクロスイッチ及び上記外部配線用端子を格納した第一収納ケースと、
上記外部配線用端子を露呈させて上記第一収納ケースを収納する第二収納ケースと、
上記第二収納ケースを格納固定する外部筐体と、
上記外部筐体内に進退可能に設けられ、一端を外部に突出させ他端を上記開閉ボタンに対向させた開閉ボタン操作部材とを備え、
上記第一収納ケースは分割された二つの部材から構成され上記マイクロスイッチ及び上記外部配線用端子を両側面から狭持してこれらの位置を固定するものであり、
上記第二収納ケースはその内面によって上記第一収納ケースの二つの部材の外面を拘束してこれらの位置を固定するものであるリミットスイッチ。
【請求項２】
上記第一収納ケースは、上記二つの部材の内面と上記マイクロスイッチとの対向面に設けられ該マイクロスイッチの固定位置を決定する係合凹凸部と、上記二つの部材の内面と上記外部配線用端子との対向面に設けられ上記外部配線用端子を支持固定する係合凹凸部とを備えたことを特徴とする請求項１記載のリミットスイッチ。
【請求項３】
上記外部配線用端子は、上記マイクロスイッチの電極端子を圧接狭持する先割れ形状部を備えたことを特徴とする請求項１または２記載のリミットスイッチ。
【請求項４】
上記第一収納ケースを上記第二収納ケースへ収納後に係合するように両ケースの対向面に設けた係合凹凸部及び該対向面のいずれか一方の面に設けられ、他方の面に圧接するがたつき防止用突起と、上記係合凸部の組み付け方向後ろ側の基部に設けたがたつき防止用テーパ部と、上記第一収納ケースから露呈した外部配線用端子及び上記マイクロスイッチの電極端子との接続部と係合するように上記第二収納ケースに設けた係合部とを備えたことを特徴とする請求項１から３のいずれかに記載のリミットスイッチ。
【請求項５】
上記マイクロスイッチは上記第一収納ケースからの突出量が異なるように複数個の上記外部配線用端子を設け、第二収納ケースは、各々の外部配線用端子が係合する段差を有する外部配線用端子突出面と、上記外部配線用端子突出面の両側面に設けられ該外部配線用端子突出面に対応した段差を有する外部配線用端子保護壁とからなる端子台を備えたことを特徴とする請求項１から４のいずれかに記載のリミットスイッチ。
【請求項６】
上記第二収納ケースは上記マイクロスイッチの開閉ボタン突出口の両端部に側方へ延長された外部筐体に対する固定部を有し、その固定部の一方は基部に可撓性を有し、他方は位置調節可能となるように弾性体を介して外部筐体に取り付けられることを特徴とする請求項１記載のリミットスイッチ。
【請求項７】
上記マイクロスイッチの開閉ボタンと開閉ボタン操作部材との間に介装されて、上記開閉ボタン操作部材による外力を上記マイクロスイッチの開閉ボタンに伝達する力伝達部材は、上記第二収納ケースの固定部の一方と嵌合する嵌合部を有し、この嵌合部を上記固定部と共に上記外部筐体に固定することを特徴とする請求項１記載のリミットスイッチ。
【発明の詳細な説明】
【０００１】
【発明の属する技術分野】
この発明は、各種制御工作機械に汎用されているリミットスイッチに関するものである。
【０００２】
【従来の技術】
リミットスイッチは、工場現場の生産機械や制御工作機械などに広く使用されている。一般的に工場現場などの取り付けは照明状態や人的作業性が悪い環境が多く、このため、配線作業が容易で、且つ高精度の動作特性を有するリミットスイッチが求められている。リミットスイッチは、大きく分けると外部筐体であるハウジングと、マイクロスイッチを格納する収納ケース及びこのマイクロスイッチの電極端子と電気的に接続した外部配線用端子などよりなるマイクロスイッチ周辺部（以下、マイクロスイッチユニットという）と、ハウジング内に進退可能に設けられ、マイクロスイッチの開閉ボタンを外部から操作する開閉ボタン操作部材により構成されており、上述の要望を満足するリミットスイッチを得るには、マイクロスイッチユニットの構成やハウジング内への支持構造の改良を検討する必要があった。
【０００３】
図９は、従来のリミットスイッチに収納されているマイクロスイッチユニットの構成を示す側面断面図である。図において、７０はリテーナ８０を一体成型した折り曲げブラケット、７１はマイクロスイッチであり、７１ａはマイクロスイッチ７１の開閉ボタン、７２はマイクロスイッチ７１の電極端子７３と外部配線用端子７４を電気的に接続するコイルばねである。７５は外部配線用端子７４の端子台であり、マイクロスイッチ７１を格納する格納部と、外部配線用端子７４及び外部配線用ビス７６が露呈する外部配線面７７と、その両側面に設けられて外部配線用端子７４の突出量と無関係に一定の高さを有する外部配線用端子保護壁７８から構成されている。７９はマイクロスイッチ７１、端子台７５及び折り曲げブラケット７０を組み付けるリベットピンである。
【０００４】
次に動作について説明する。
ハウジング（不図示）内に格納固定されたマイクロスイッチ７１の操作は、ハウジング内に進退可能に設けられ、一端を外部に突出させ他端をマイクロスイッチ７１の開閉ボタン７１ａに対向させた不図示の開閉ボタン操作部材が、この開閉ボタン操作部材と開閉ボタン７１ａとの間に介装されたリテーナ８０を介してＯＮ／ＯＦＦ制御する。
【０００５】
次に上記構成部材の組み付けについて説明する。
電極端子７３と外部配線用端子７４がコイルばね７２を介して接続されるように端子台７５の上面開口部からマイクロスイッチ７１を圧入し、さらに折り曲げブラケット７０を端子台７５の外周部に設置する。この後、折り曲げブラケット７０、端子台７５、マイクロスイッチ７１の貫通孔にリベットピン７９を貫通し、かしめ加工機にてリベットピン７９をかしめて３つの部材が組み付けられる。
【０００６】
【発明が解決しようとする課題】
従来のリミットスイッチは以上のように構成されているので、マイクロスイッチユニットの組み付け工程にかしめ加工機を使用する必要があり、工程の作業性やコスト面からも不利な面があった。また、かしめ加工は作業精度が必要なので、強くかしめてしまうと端子台７５が変形、もしくは破損してしまう恐れがあり、逆に弱くかしめてしまうと、組み付けたマイクロスイッチ７１が動作中にぶれてしまい、リミットスイッチの動作特性が不安定になることがあった。
【０００７】
また、マイクロスイッチ７１の端子台７５への圧入時に、外部配線用端子７４のずれから、コイルばね７２と外部配線用端子７４との接触が不安定になることがあり、さらに振動に対してコイルばね７２は、接触信頼性に欠けるなどの課題があった。
【０００８】
さらに、端子台７５において、外部配線面７７の両側面に設けられた外部配線用端子保護壁７８が外部配線用端子７４の突出量と無関係に一定の高さであるので、上記外部配線用端子保護壁７８が邪魔になって側面方向からの配線作業が困難であり、照明状態や人的作業性が悪い環境の配線作業に支障を来す場合があった。
【０００９】
さらに、マイクロスイッチユニットをハウジング内へ固定する際、開閉ボタン操作部材とリテーナ８０との位置関係を調節する構造がなかったので、リミットスイッチの動作特性にばらつきが発生するという課題があった。
【００１０】
この発明は上記のような課題を解決するためになされたもので、組み付け精度の必要なかしめ加工をなくして、組み付けが容易で、且つ、各構成部材をがたつきなく組み付け、マイクロスイッチの電極端子と外部配線用端子との接続及び外部配線作業を容易とし、さらに振動時の接触信頼性を向上させたマイクロスイッチユニットを構成することで、高精度の動作特性を有するリミットスイッチを得ることを目的とする。
【００１１】
【課題を解決するための手段】
この発明に係るリミットスイッチは、電極端子を有するマイクロスイッチと、電極端子に電気的に接続された外部配線用端子と、上記マイクロスイッチの開閉ボタンを一面に突出させ他面に上記外部配線用端子を露呈させて上記マイクロスイッチ及び上記外部配線用端子を格納した第一収納ケースと、上記外部配線用端子を露呈させて上記第一収納ケースを収納する第二収納ケースと、上記第二収納ケースを格納固定する外部筐体と、上記外部筐体内に進退可能に設けられ、一端を外部に突出させ他端を上記開閉ボタンに対向させた開閉ボタン操作部材とを備え、上記第一収納ケースは分割された二つの部材から構成され上記マイクロスイッチ及び上記外部配線用端子を両側面から狭持してこれらの位置を固定するものであり、上記第二収納ケースはその内面によって上記第一収納ケースの二つの部材の外面を拘束してこれらの位置を固定するものである。
【００１２】
この発明に係るリミットスイッチは、上記第一収納ケースが、上記二つの部材の内面と上記マイクロスイッチとの対向面に設けられ該マイクロスイッチの固定位置を決定する係合凹凸部と、上記二つの部材の内面と上記外部配線用端子との対向面に設けられ上記外部配線用端子を支持固定する係合凹凸部とを備えたことを特徴とするものである。
【００１３】
この発明に係るリミットスイッチは、外部配線用端子は、マイクロスイッチの電極端子を圧接狭持する先割れ形状部を備えたことを特徴とするものである。
【００１４】
この発明に係るリミットスイッチは、上記第一収納ケースを上記第二収納ケースへ収納後に係合するように両ケースの対向面に設けた係合凹凸部及び該対向面のいずれか一方の面に設けられ、他方の面に圧接するがたつき防止用突起と、上記係合凸部の組み付け方向後ろ側の基部に設けたがたつき防止用テーパ部と、上記第一収納ケースから露呈した外部配線用端子及び上記マイクロスイッチの電極端子との接続部と係合するように上記第二収納ケースに設けた係合部とを備えたことを特徴とするものである。
【００１５】
この発明に係るリミットスイッチは、マイクロスイッチは、第一収納ケースからの突出量が異なるように複数個の外部配線用端子を設け、第二収納ケースは、各々の外部配線用端子が係合する段差を有する外部配線用端子突出面と、上記外部配線用端子突出面の両側面に設けられ、該外部配線用端子突出面に対応した段差を有する外部配線用端子保護壁とからなる端子台を備えたことを特徴とするものである。
【００１６】
この発明に係るリミットスイッチは、上記第二収納ケースが上記マイクロスイッチの開閉ボタン突出口の両端部に側方へ延長された外部筐体に対する固定部を有し、その固定部の一方は基部に可撓性を有し、他方は位置調節可能となるように弾性体を介して外部筐体に取り付けられることを特徴とするものである。
【００１７】
この発明に係るリミットスイッチは、マイクロスイッチの開閉ボタンと開閉ボタン操作部材との間に介装されて、上記開閉ボタン操作部材による外力を上記マイクロスイッチの開閉ボタンに伝達する力伝達部材は、第二収納ケースの固定部の一方と嵌合する嵌合部を有し、この嵌合部を上記固定部と共に上記外部筐体に固定することを特徴とするものである。
【００１８】
【発明の実施の形態】
以下、この発明の実施の一形態を説明する。
実施の形態１．
図１は実施の形態１によるリミットスイッチに収納されているマイクロスイッチユニットの構成を示す斜視図であり、図２（ａ）はマイクロスイッチユニットの側面図、（ｂ）は（ａ）のＢ方向からみた平面図を示し、（ｃ）、（ｄ）はそれぞれ（ａ）のＡ−Ａ線に沿った断面図、（ｃ）のＣ−Ｃ線に沿った断面図である。図において、１はマイクロスイッチ、２は分割された二部材からなるスイッチケース（第一収納ケース）であり、１ａはスイッチケース２の内側面に設けた係合凸部（係合凹凸部）２ａと係合する係合孔（係合凹凸部）である。
【００１９】
３は先割れ形状部３ｃとスイッチケース２に設けられた係合孔（係合凹凸部）３ｂと係合する係合凸部３ａ（係合凹凸部）とを有した外部配線用端子を示している。５はスイッチケース２の側面に設けられた係合凸部（係合凹凸部）であり、６はユニットケース（第二収納ケース）７の側面に設けられた係合孔（係合凹凸部）、８はスイッチケース２の側面に設けた突起（がたつき防止用突起）である。
【００２０】
９はマイクロスイッチ１の開閉ボタン１ｂとハウジング（外部筐体）外部から開閉ボタン１ｂを操作する開閉ボタン操作部材との間に介装されるリテーナ（力伝達部材）であり、９ａはリテーナ９の嵌合部である。１０，１１は、それぞれ外部配線用のビスとナット、１２は係合凸部５のスイッチケース２挿入方向後ろ側の基部に設けたテーパ部（がたつき防止用テーパ部）、１３はユニットケース７の底面部に設けた係合部であり、１４，１５はユニットケース７をハウジング内に固定する固定部であり、開閉ボタン１ｂの突出口の両端部に設けられている。１６は固定部１４の基部に設けた溝、１７はユニットケース７の底面に外部配線用端子３又は外部配線用のビス１０が露呈する外部配線面（外部配線用端子突出面）であり、１８は外部配線面１７の両側面に設けられた外部配線面保護壁（外部配線用端子保護壁）である。１９はスイッチケース２から露呈した外部配線用端子３とマイクロスイッチ１の電極端子４との接続部である。
【００２１】
次に概要について説明する。
マイクロスイッチ１の電極端子４は外部配線用端子３と先割れ形状部３ｃに圧接狭持されて接続する。この外部配線用端子３と接続したマイクロスイッチ１は、スイッチケース２によって両側面から狭持され、この係合孔１ａと係合凸部２ａとが係合し、マイクロスイッチ１の固定位置が決定される。さらに、係合凸部３ａと係合孔３ｂとが係合固定されるので、外部配線用端子３がスイッチケース２から脱落することがなく、安定した接続がなされる。
【００２２】
マイクロスイッチ１を収納したスイッチケース２は、ユニットケース７へ図１の矢印方向から挿入され、それぞれの係合部５，６によって係合固定されて、マイクロスイッチユニットを形成する。この時、図２（ｃ）に示すように係合凸部５に形成されたテーパ部１２が、係合孔６の内側周縁部と当接するので、挿入方向におけるがたつきが抑えられる。また、突起８もユニットケース７の内壁を圧接し、スイッチケース２の側面方向におけるがたつきを抑えることができる。さらに、図２（ｄ）に示すように、ユニットケース７に底面部に設けられた係合部１３がスイッチケース２から露呈した外部配線用端子３とマイクロスイッチ１の電極端子４との接続部１９と係合し、係合部１３と接続部１９とが当接することから、スイッチケース２長手方向のがたつきを防ぐことができる。
【００２３】
また、マイクロスイッチ１は、スイッチケース２から異なる突出量の複数個の外部配線用端子３を有している。これに対応して、図２（ｂ）に示すようにスイッチケース２がユニットケース７に収納されると、上記外部配線用端子３に係合した段差を有する外部配線面１７と、この外部配線面１７に対応した段差を有する外部配線面保護壁１８とからなる端子台がユニットケース７の底面に形成される。このように実施の形態１では、従来のマイクロスイッチユニットの課題であった側面方向からの配線作業の際に邪魔となる外部配線用端子保護壁１８が、各々の外部配線用端子３に対応した段差を有しているので、側面方向からの配線作業が容易となり、従来のマイクロスイッチユニットと比較して配線作業を容易にすることができる。
【００２４】
図３は、実施の形態１によるリミットスイッチの構成部材の斜視図であり、図４は図３におけるＡ’−Ａ’線に沿った断面図である。図において、ハウジング（外部筐体）３１には、進退可能に動作し、外部からリテーナ９を介してマイクロスイッチ１の開閉ボタン１ｂを操作するブランジャ（開閉ボタン操作部材）３２が設けられている。このブランジャ３２は、復帰スプリング３４、ベアリング３５、操作ブランジャ３６、緩衝スプリング３７、外ブランジャ３８によって構成される。
【００２５】
次にマイクロスイッチユニットのハウジング３１内への支持構造について説明する。
マイクロスイッチユニットはユニットケース７の固定部１４，１５を介してハウジング３１内に支持固定され、リミットスイッチを構成する。上述のようにマイクロスイッチ１の開閉ボタン１ｂは、リテーナ９を介してブランジャ３２により操作されるため、リミットスイッチの動作特性は、これらの設置位置に大きく影響を受ける。これより、一度固定したマイクロスイッチユニットの固定位置の微調整ができることが望ましい。実施の形態１のリミットスイッチでは、ユニットケース７の固定部の一つである固定部１４の基部に溝１６を設けることで、基部の厚さを薄くして可撓性を持たせ、さらに他方の固定部１５をハウジング３１内へコイルばね（弾性体）３３を介して支持固定したので、固定部１５を上下方向に位置調節すると固定部１４の基部が撓み、全体としてマイクロスイッチユニットの上下方向設置位置の微調整をすることができる。
【００２６】
図１に示すように、リテーナ９はユニットケース７の固定部１４の形状に各片が折り曲げられた構造をし、固定部１４と嵌合する嵌合部９ａを有している。図４のようにリテーナ９の嵌合部９ａをユニットケース７の固定部１４に嵌合させることで、リテーナ９の取付位置が決定される。さらに、この嵌合部９ａと固定部１４をハウジング３１内に共に支持固定することにより、リテーナ９の取付位置がずれることがない。また、従来のように折り曲げブラケットと一体成形しないので、材料取りが良くコスト的にも有利である。
【００２７】
以上のように、この実施の形態１によれば、マイクロスイッチ１の電極端子４を外部配線用端子３の先割れ形状部３ｃによって圧接狭持し、分割された二部材よりなるスイッチケース２で上記のマイクロスイッチ１を両側面から狭持し、スイッチケース２の内面と、マイクロスイッチ１及び外部配線用端子３との各々の対向面に設けた係合凹凸部によってお互いを係合固定するスイッチケース２と、このスイッチケース２を収納するユニットケース７によりマイクロスイッチユニットを構成したので、組み付け作業にかしめ加工を擁さず、且つ容易に組み付け作業をすることができる。また、外部配線用端子３とマイクロスイッチ１の電極端子４との接続が容易であり、従来のようにコイルばねを使用しないので振動時の接触信頼性を高めることができる。
【００２８】
この実施の形態１によれば、マイクロスイッチユニットのユニットケース７のに設けた係合部１３とスイッチケース２から露呈した外部配線用端子３とマイクロスイッチ１の電極端子４との接続部１９とが係合し、また、スイッチケース２とユニットケース７とが係合固定するように係合凸部５及び係合孔６を設け、この係合凸部５にテーパ部１２を設け、係合凸部５と係合孔６の内側周縁部とが当接するように構成し、さらにスイッチケース２側面にユニットケース７を圧接する突起８を設けたので、組み付け後のがたつきを防ぐことができる。
【００２９】
この実施の形態１によれば、ユニットケース７に構成される端子台において、従来のマイクロスイッチユニットのように外部配線用端子の保護壁の高さが一定でなく、外部配線用端子３の突出量に対応した段差を有しているので、側面方向からの配線作業が容易となり、従来のマイクロスイッチユニットと比較して配線作業を容易にすることができる。
【００３０】
この実施の形態１によれば、マイクロスイッチユニットのハウジング内への支持固定を、ユニットケース７の開閉ボタン突出口の両端部に設けた固定部１４，１５によって行い、その一方の固定部１４に可撓性を持たせ、他方の固定部１５はコイルばね３３を介して固定することにより、マイクロスイッチユニット固定後に上下方向の微調整を可能としたので、最適な動作特性をもたらす位置にマイクロスイッチユニットを設置することができる。
【００３１】
この実施の形態１によれば、リテーナ９は固定部１４に嵌合部９ａによって取り付けられるので、リテーナ９の取付位置を容易に決定することができる。さらに、この嵌合部９ａを固定部１４と共にハウジング内に支持固定したので、取付位置がずれることがないリテーナ９を提供することができる。また、従来のように折り曲げブラケットと一体成形されたものでないので、材料取りが良くコスト的にも有利である。
【００３２】
実施の形態２．
図５は、実施の形態２によるリミットスイッチに収納されているマイクロスイッチユニット構成を示す斜視図である。実施の形態１では、スイッチケース２の側面に係合凸部５を設け、ユニットケース７の側面に係合孔６を設けたが、逆にスイッチケース２の側面に係合孔６、ユニットケース７の内面に係合凸部５を設けたものである。なお、図５において、図１から図４と同一符号のものは、同一または相当部分を示すので説明を省略する。
【００３３】
実施の形態３．
図６は、実施の形態３によるリミットスイッチを図３におけるＡ’−Ａ’線と同一の位置に沿って切った場合の断面図である。図４における実施の形態１のリミットスイッチと異なり、ユニットケース７の固定部１４，１５を直接固定する被固定部をハウジング３１内に設けず、リテーナ９の上下可動領域を確保するため段差を設けたプレート４１にマイクロスイッチユニットを実施の形態１と同様に固定し、ハウジング３１内にこのプレート４１を介して支持固定するようにしたものである。
【００３４】
実施の形態４．
図７において、上方の図は実施の形態４によるリミットスイッチに収納されているマイクロスイッチ５１を示す側面図であり、下方の図は実施の形態４によるリミットスイッチに使用される外部配線用端子５３を示す。図において、５１はマイクロスイッチ、５３は外部配線用端子であり、５３ａは電極端子５２を狭持する外部配線用端子５３の狭持部（先割れ形状部）である。
【００３５】
実施の形態４によれば、使用するマイクロスイッチ５１の電極端子５２が実施の形態１のように平板型でなく、円柱型である場合でも、これまでと同様に電極端子５２を圧接狭持することができる外部配線用端子５３を使用したものであり、図に示すように、外部配線用端子５３の狭持部５３ａには、円柱型電極端子５２を狭持した時に滑ってはずれてしまわないように、円柱型電極端子５２が嵌合する凹部を設けてある。
【００３６】
以上のように、実施の形態４によれば、外部配線用端子５３の狭持部５３ａに円柱型電極端子５２が嵌合するように凹部を設けたので、円柱型電極端子５２を圧接狭持した時に滑ってはずれることがなく、円柱型電極端子を有するマイクロスイッチにおいても安定した接続をすることができる。
【００３７】
実施の形態５．
図８は実施の形態５によるリミットスイッチに収納されているマイクロスイッチユニットの構成を示す斜視図であり、図において、６５は係合凸部（係合凹凸部）、６６は係合孔（係合凹凸部）であり、図１と同一符号ものは、同一または相当部分を示すので説明を省略する。実施の形態１及び２では、スイッチケース２はユニットケース７上方から挿入してマイクロスイッチユニットを構成したが、実施の形態５によれば、ユニットケース７は底面に組み付け口を有し、スイッチケース２をユニットケース７の下方から挿入するようにしてもよい。この場合、実施の形態１と同様にがたつきなく各々のケースを収納するために、係合凸部のテーパ部などは実施の形態１の場合と上下逆方向に設けることが好ましい。
【００３８】
【発明の効果】
以上のように、この発明によれば、電極端子を有するマイクロスイッチと、電極端子に電気的に接続された外部配線用端子と、上記マイクロスイッチの開閉ボタンを一面に突出させ他面に上記外部配線用端子を露呈させて上記マイクロスイッチ及び上記外部配線用端子を格納した第一収納ケースと、上記外部配線用端子を露呈させて上記第一収納ケースを収納する第二収納ケースと、上記第二収納ケースを格納固定する外部筐体と、上記外部筐体内に進退可能に設けられ、一端を外部に突出させ他端を上記開閉ボタンに対向させた開閉ボタン操作部材とを備え、上記第一収納ケースは分割された二つの部材から構成され上記マイクロスイッチ及び上記外部配線用端子を両側面から狭持してこれらの位置を固定するものであり、上記第二収納ケースはその内面によって上記第一収納ケースの二つの部材の外面を拘束してこれらの位置を固定するので、各部材の組み付けをかしめ加工を擁さずに行うことができ、組み付け作業性を向上させることができるという効果がある。
【００３９】
この発明によれば、上記第一収納ケースが、上記二つの部材の内面と上記マイクロスイッチとの対向面に設けられ該マイクロスイッチの固定位置を決定する係合凹凸部と、上記二つの部材の内面と上記外部配線用端子との対向面に設けられ上記外部配線用端子を支持固定する係合凹凸部とを備えたので、マイクロスイッチがぶれることなく安定した固定がなされ、マイクロスイッチの電極端子と接続した外部配線用端子が第一収納ケースから脱落することがなく安定した接続をすることができるという効果がある。
【００４０】
この発明によれば、外部配線用端子は、マイクロスイッチの電極端子を圧接狭持する先割れ形状部を備えたので、従来のコイルばねと比較して外部配線用端子とマイクロスイッチの電極端子との接続作業が容易になり、振動時の接触信頼性を高めることができるという効果がある。
【００４１】
この発明によれば、上記第一収納ケースを上記第二収納ケースへ収納後に係合するように両ケースの対向面に設けた係合凹凸部及び該対向面のいずれか一方の面に設けられ、他方の面に圧接するがたつき防止用突起と、上記係合凸部の組み付け方向後ろ側の基部に設けたがたつき防止用テーパ部と、上記第一収納ケースから露呈した外部配線用端子及び上記マイクロスイッチの電極端子との接続部と係合するように上記第二収納ケースに設けた係合部とを備えたので、組み付け後のがたつきを防ぐことができるという効果がある。
【００４２】
この発明によれば、マイクロスイッチは、第一収納ケースからの突出量が異なるように複数個の外部配線用端子を設け、第二収納ケースは、各々の外部配線用端子が係合する段差を有する外部配線用端子突出面と、上記外部配線用端子突出面の両側面に設けられ、該外部配線用端子突出面に対応した段差を有する外部配線用端子保護壁とからなる端子台を備えたので、側面方向からの配線作業が容易になり、従来のマイクロスイッチユニットと比較して配線作業を容易にすることができるという効果がある。
【００４３】
この発明によれば、上記第二収納ケースが上記マイクロスイッチの開閉ボタン突出口の両端部に側方へ延長された外部筐体に対する固定部を有し、その固定部の一方は基部に可撓性を有し、他方は位置調節可能となるように弾性体を介して外部筐体に取り付けられるので、最適な動作特性をもたらす位置にマイクロスイッチユニットを微調節することができるという効果がある。
【００４４】
この発明によれば、マイクロスイッチの開閉ボタンと開閉ボタン操作部材との間に介装されて、上記開閉ボタン操作部材による外力を上記マイクロスイッチの開閉ボタンに伝達する力伝達部材は、第二収納ケースの固定部の一方と嵌合する嵌合部を有し、この嵌合部を上記固定部と共に上記外部筐体に固定するので、リテーナの取付作業が容易であり、動作中にぶれることがない。さらに、リテーナが従来のように折り曲げブラケットと一体成形されたものでないので、材料取りが良くコスト的にも有利であるという効果がある。
【図面の簡単な説明】
【図１】実施の形態１によるリミットスイッチに収納されているマイクロスイッチユニットの構成部材の斜視図である。
【図２】実施の形態１によるリミットスイッチに収納されているマイクロスイッチユニットを示すものであり、（ａ）は実施の形態１によるリミットスイッチに収納されているマイクロスイッチユニットの側面図、（ｂ）は（ａ）におけるＢ方向からの平面図、（ｃ）は（ａ）におけるＡ−Ａ線に沿った断面図、（ｄ）は（ｃ）におけるＣ−Ｃ線に沿った断面図である。
【図３】実施の形態１によるリミットスイッチの構成部材を示す斜視図である。
【図４】実施の形態１によるリミットスイッチの図３におけるＡ’−Ａ’線に沿った断面図である。
【図５】実施の形態２によるリミットスイッチに収納されているマイクロスイッチユニットの構成部材を示す斜視図である。
【図６】実施の形態３によるリミットスイッチを図３におけるＡ’−Ａ’線と同一の位置に沿った断面図である。
【図７】実施の形態４によるリミットスイッチを構成するマイクロスイッチと外部配線用端子を示すものであり、上方の図は実施の形態４によるリミットスイッチに収納されるマイクロスイッチを示す側面図であり、下方の図は実施の形態４によるリミットスイッチに使用される外部配線用端子を示す斜視図である。
【図８】実施の形態５によるリミットスイッチに収納されているマイクロスイッチユニットの構成部材を示す斜視図である。
【図９】従来のリミットスイッチに収納されているマイクロスイッチユニットの構造を示す側面断面図である。
【符号の説明】
１，５１  マイクロスイッチ
１ａ，３ｂ，６，６６  係合孔（係合凹凸部）
１ｂ  開閉ボタン
２  スイッチケース（第一収納ケース）
２ａ，３ａ，５，６５  係合凸部（係合凹凸部）
３，５３  外部配線用端子
３ｃ  先割れ形状部
４，５２  電極端子
７  ユニットケース（第二収納ケース）
８  突起（がたつき防止用突起）
９  リテーナ（力伝達部材）
９ａ  嵌合部
１２  テーパ部（がたつき防止用テーパ部）
１３  係合部
１４，１５  固定部
１７  外部配線面（外部配線用端子突出面）
１８  外部配線面保護壁（外部配線用端子保護壁）
１９  接続部
３１  ハウジング（外部筐体）
３２  ブランジャ（開閉ボタン操作部材）
３３  コイルばね（弾性体）
５３ａ  狭持部（先割れ形状部）
【図１】
0003773663.tif 000002
【図２】
0003773663.tif 000003
【図３】
0003773663.tif 000004
【図４】
0003773663.tif 000005
【図５】
0003773663.tif 000006
【図６】
0003773663.tif 000007
【図７】
0003773663.tif 000008
【図８】
0003773663.tif 000009
【図９】
0003773663.tif 000010